(57)【要約】  【課題】使い勝手を向上した電気掃除機を提供する。  【解決手段】分離部24に連通する吸気口43と、隔壁26に開口された開口部27とに袋体31の開口31aを気密に接続して粗塵用集塵風路29に袋体31を収容可能とすることで、袋体31を取り付けた状態で、開口31aを吸気口43と開口部27とに気密に接続して袋体31の内外で圧力差が生じることを防止するため、一般的な袋体を用いることができ、袋体31を隔壁26に取り付けて粗塵用集塵風路29に収容しない状態でも、粗塵用集塵風路29にて粗塵を捕集できるとともに細塵用集塵風路25で細塵を捕集できるので、電気掃除機の使い勝手が向上する。  【選択図】図１
2006166988.tif 000002
【特許請求の範囲】
【請求項１】
電動送風機を収容した掃除機本体と、
前記電動送風機の駆動により空気とともに吸い込んだ塵埃を粗塵と細塵とに分離する分離部、この分離部に連通する吸気口を有し、空気の一部とともに粗塵が流入する粗塵用集塵風路、および、残りの空気とともに細塵が流入する細塵用集塵風路を備えた集塵部と、
前記粗塵用集塵風路と前記細塵用集塵風路との間に位置した隔壁と、
この隔壁に開口された開口部と、
この開口部に設けられたフィルタと、
前記隔壁に着脱可能に設けられ、前記隔壁への取り付け時に前記吸気口と前記開口部とに気密に接続される開口を備え、前記粗塵用集塵風路に収容可能な袋体と
を具備したことを特徴とした電気掃除機。
【請求項２】
フィルタにて捕集した塵埃をこのフィルタから除去可能な塵落とし部材を具備した
ことを特徴とした請求項１記載の電気掃除機。
【請求項３】
前記袋体を隔壁に着脱可能とし、前記塵落とし部材を保持する押さえ部材を具備した
ことを特徴とした請求項２記載の電気掃除機。
【請求項４】
前記集塵部は、掃除機本体に対して着脱可能に設けられている
ことを特徴とした請求項１ないし３いずれか一記載の電気掃除機。
【請求項５】
前記集塵部に設けられ、袋体を収容可能な袋体収容部を具備した
ことを特徴とした請求項１ないし４いずれか一記載の電気掃除機。
【発明の詳細な説明】
【技術分野】
【０００１】
本発明は、電動送風機の駆動により空気とともに吸い込んだ塵埃を粗塵と細塵とに分離する分離部を有する集塵部を備えた電気掃除機に関する。
【背景技術】
【０００２】
従来、例えばアップライト型などの電気掃除機は、電動送風機を収容した掃除機本体を備えている。この掃除機本体には、電動送風機の吸込側に連通する集塵カップが着脱可能に設けられている。
【０００３】
しかしながら、この種の電気掃除機では、集塵カップ内に塵埃が直に溜められるので、塵埃の種類によっては集塵カップ内が汚れてしまうおそれがある。
【０００４】
また、集塵カップに溜まった塵埃を直にごみ箱などに廃棄するため、この廃棄の際に塵埃が舞ったり散らばったりするおそれもある。
【０００５】
そこで、集塵カップ内に集塵パックを着脱可能として集塵カップ内の汚れを防止した構成が知られている（例えば、特許文献１参照。）。
【特許文献１】特開２００３−１３５３３６号公報（第３−４頁、図１および図５）
【発明の開示】
【発明が解決しようとする課題】
【０００６】
しかしながら、上述の電気掃除機では、集塵カップの吸込口から吸い込まれた空気を排気口から排気可能とするためには、通気性を有する専用の集塵パックのみしか使用できない。
【０００７】
そして、専用の集塵パックは、比較的高価であるとともに、必要な時に在庫がなかったりすることもある。
【０００８】
この結果、上述の電気掃除機では、使い勝手が良好でないという問題点を有している。
【０００９】
本発明は、このような点に鑑みなされたもので、使い勝手を向上した電気掃除機を提供することを目的とする。
【課題を解決するための手段】
【００１０】
本発明は、電動送風機の駆動により空気とともに吸い込んだ塵埃を粗塵と細塵とに分離する分離部、この分離部に連通する吸気口を有し、空気の一部とともに粗塵が流入する粗塵用集塵風路、および、残りの空気とともに細塵が流入する細塵用集塵風路を備えた集塵部と、粗塵用集塵風路と細塵用集塵風路との間に位置した隔壁と、この隔壁に開口された開口部と、この開口部に設けられたフィルタと、隔壁に着脱可能に設けられ、隔壁への取り付け時に吸気口と開口部とに気密に接続される開口を備え、粗塵用集塵風路に収容可能な袋体とを具備したものである。
【発明の効果】
【００１１】
本発明によれば、粗塵用集塵風路に袋体を取り付けた状態では、袋体の開口が、吸気口と開口部とに気密に接続され袋体の内外で圧力差が生じることを防止できるので、例えば通気性を有する専用の集塵パックでない一般的な袋体を用いることができ、かつ、袋体を粗塵用集塵風路に収容しない状態では粗塵用集塵風路にて粗塵を捕集できるとともに細塵用集塵風路で細塵を捕集できるなど、使い勝手が向上する。
【発明を実施するための最良の形態】
【００１２】
以下、本発明の一実施の形態の電気掃除機の構成を図面を参照して説明する。
【００１３】
図６において、１は電気掃除機で、この電気掃除機１は、いわゆるアップライト型の掃除機である。また、この電気掃除機１は、上下方向に沿って長手状の掃除機本体２を備えており、この掃除機本体２には、下側に電動送風機３が収容され、この電動送風機３の上方に、集塵部としての集塵カップ４が着脱可能に設けられている。さらに、この掃除機本体２は、集塵カップ４の上流側すなわち吸込側に連通するホース体５が後側の上部に接続され、このホース体５の吸込側である先端部には、円筒状の接続管部６、握り管部７および延長管８が順次連通接続されている。またさらに、この延長管８の吸込側である先端部は、掃除機本体２の後側下部に設けられた図示しない筒状の取付部の上端部に挿入されて気密に連結されている。そして、取付部の下端部には、吸込口体としての床ブラシ９の下流側すなわち排気側である基端部が挿入されて気密に連結されている。
【００１４】
掃除機本体２は、電気掃除機１を持ち運び可能にする円弧状の取手部12が上端部に設けられている。この取手部12の上部には、電動送風機３の駆動をオンオフする本体スイッチ13が設けられている。また、掃除機本体２の前部で取手部12の下部には、集塵カップ４が嵌合する集塵カップ嵌合凹部14が上下方向に長手状に設けられている。
【００１５】
さらに、電動送風機３は、吸込側を上側に向けた状態で掃除機本体２内に収容されている。そして、この電動送風機３は、吸込側が集塵カップ４に気密に接続され、図示しない排気孔に排気側が連結されている。また、この電動送風機３は、掃除機本体２に対して引き出し可能に収容された図示しない電源コードを介して、外部電源から供給される電力で駆動される。
【００１６】
そして、集塵カップ４は、図１に示すように、掃除機本体２側に位置する本体部21と、この本体部21に対して開閉可能に設けられ掃除機本体２の外側に位置する蓋体としてのカップ開閉蓋22とを備え、本体部21に、吸い込まれた塵埃を粗塵と細塵とに分離する分離部24とこの分離部24の下部に連通する細塵用集塵風路25とがそれぞれ形成され、この細塵用集塵風路25の前側に隔壁26が設けられ、この隔壁26に開口部27が開口形成され、この開口部27にメッシュ状のフィルタ28が取り付けられ、かつ、隔壁26とカップ開閉蓋22とで粗塵用集塵風路29が区画されている。
【００１７】
また、集塵カップ４の下部には、粗塵用集塵風路29に取り付け可能な袋体31を収容した袋体収容部32が上下方向に回動可能に設けられ、集塵カップ４とともに掃除機本体２に対して着脱可能となっている。
【００１８】
さらに、集塵カップ４の上部には、集塵カップ４を掃除機本体２に対して着脱可能にする着脱クランプ33が、取手部12の下方に臨んで設けられている。
【００１９】
そして、本体部21は、集塵カップ嵌合凹部14に対応して上下方向に長手状に形成されている。
【００２０】
また、カップ開閉蓋22は、図３に示すように、本体部21に対して幅方向の一側部にヒンジ35，35が設けられ、幅方向の他側部にカップ開閉蓋22を本体部21に対して係止可能な蓋クランプ36が設けられている。さらに、カップ開閉蓋22の前側の下端部の幅方向すなわち左右方向の中央部には、凹部37が設けられ、この凹部37には、袋体収容部32をカップ開閉蓋22に係止可能な収容部クランプ38が設けられている。この収容部クランプ38は、例えば図示しない軸支部が左右方向に突設され、この突設部が凹部37に設けられた図示しない軸支穴に軸支されることで、前後方向に回動可能となっている。そして、カップ開閉蓋22の前面側の両側部には、集塵カップ４を掃除機本体２から取り外す際などに把持される取手としての操作凹部39が設けられている。
【００２１】
さらに、分離部24は、図１に示すように、電動送風機３の駆動により床ブラシ９から吸い込まれた塵埃を、比重、あるいは大きさによる慣性の違いを利用して、比重、あるいは大きさが比較的大きい粗塵と、この粗塵よりも比重、あるいは大きさが小さい細塵とに分離するもので、前後方向に沿って直線円筒状の分離本体部41を備えている。
【００２２】
ここで、この分離本体部41は、後端部である上流側が流入口42を介して床ブラシ９の下流側に連通し、前端部である下流側が後端部に対して縮径され、隔壁26に穿設された吸気口43を介して粗塵用集塵風路29に連通している。また、この分離本体部41の周囲には、この分離本体部41を径方向に貫通し細塵用集塵風路25に連通する補助開口44が複数穿設されている。そして、補助開口44は、分離本体部41の周方向に互いに略等間隔に離間され、メッシュフィルタ44aがそれぞれ取り付けられている。
【００２３】
また、細塵用集塵風路25は、分離部24の補助開口44の下流側に連通し、分離本体部41の下方に、粗塵用集塵風路29と並行して上下方向に沿って長手状に形成されている。そして、この細塵用集塵風路25は、補助開口44のメッシュフィルタ44aを通過した微細塵とともに、分離部24に吸い込まれた空気の残りの部分である粗塵用集塵風路29を通過しない空気が通過する風路で、この微細塵を捕集するフィルタ体45が収容されている。さらに、細塵用集塵風路25の下部の後側には、電動送風機３の吸込側に連通する図示しない排気連通口が開口形成されている。
【００２４】
ここで、フィルタ体45は、プリーツフィルタ46と、このプリーツフィルタ46の周囲を保持して細塵用集塵風路25内に着脱可能にする枠体47とを有している。
【００２５】
プリーツフィルタ46は、前後方向に波状に湾曲形成され、細塵用集塵風路25に沿う方向である上下方向に沿って折り目が形成されている。また、このプリーツフィルタ46は、フィルタ28に対応する位置に、粗塵用集塵風路29からの空気の流れに直交するようにこのフィルタ28の後側すなわち下流側に対向して配設されている。さらに、このプリーツフィルタ46は、フィルタ28よりも正面視で大きく形成され、開口部27全体に臨む大きさとなっている。
【００２６】
また、枠体47は、プリーツフィルタ46の上側が下側よりも前方に向けて傾斜するように細塵用集塵風路25内に取り付けられる。
【００２７】
さらに、隔壁26は、本体部21の前端面となっているものであり、粗塵用集塵風路29と細塵用集塵風路25との間に位置し、電気掃除機１の前後方向に交差する左右方向に沿って面方向を有し、上下方向に長手状に形成されている。またさらに、この隔壁26は、略垂直方向に沿う隔壁上部26a、この隔壁上部26aの下部に連続し後方向に向けて傾斜した隔壁中間部26b、および、この隔壁中間部26bの下部に垂直方向に沿って連続した隔壁下部26cを備えている。
【００２８】
そして、開口部27は、隔壁26の上下方向の中心域よりも上側寄りの位置である隔壁中間部26bの上端部からこの隔壁中間部26bの下端部に亘って長手状に開口されている。
【００２９】
また、フィルタ28は、開口部27全体に亘って格子状などに配設されている。
【００３０】
さらに、粗塵用集塵風路29は、吸気口43を介して分離本体部41の下流側に連通し、この分離本体部41の軸方向に対して下方に屈曲するとともに、掃除機本体２の長手方向である上下方向に沿って長手状に形成されている。そして、この粗塵用集塵風路29は、吸気口43から吸い込まれた空気の一部とともに粗塵を流入させる風路で、この粗塵を主として収容する集塵機能を下部に有している。また、粗塵用集塵風路29は、開口部27を介して下流側が細塵用集塵風路25に連通している。さらに、粗塵用集塵風路29内には、袋体31が押さえ部材53を介して取り付け可能となっている。
【００３１】
袋体31は、例えばポリエチレンなどの合成樹脂で形成された一般的な袋部材であり、押さえ部材53に固定される開口31aを備えている。
【００３２】
また、押さえ部材53は、隔壁26の前部に図示しないパッキンなどを介して気密に取り付けられる枠状の部材であり、図１および図２に示すように、隔壁26側に位置する隔壁側部材55と、この隔壁側部材55の前側に取り付けられて袋体31の開口31aをこの隔壁側部材55とで挟持する挟持部材56とを有している。
【００３３】
隔壁側部材55は、枠状の部材本体61と、この部材本体61に対して上下方向に摺動可能に設けられた塵落とし部材62とを備えている。
【００３４】
部材本体61は、吸気口43の上部から開口部27の上下方向の中心域に亘る長手状の一対の本体側部61a，61aと、これら本体側部61a，61aの両端部を連結しカップ開閉蓋22の両内側部間近傍に亘る一対の本体端部61b，61bとを有する四角形枠状に形成されている。このため、この部材本体61は、押さえ部材53を隔壁26に取り付けた状態で各本体側部61a，61aが吸気口43および開口部27の両側部に位置し、上側の本体端部61bが吸気口43の上部に位置するとともに、下側の本体端部61bが開口部27およびフィルタ28を幅方向に横断してこれら開口部27およびフィルタ28を上下方向に２つに区画する。
【００３５】
また、各本体側部61aは、隔壁26の隔壁上部26aに沿って直線状の上側本体側部61cと、この上側本体側部61cの下端部に連続し隔壁26の隔壁中間部26bに沿って直線状の中間本体側部61dと、この中間本体側部61dの下端部に連続し隔壁26の隔壁下部26cに沿って直線状の下側本体側部61eとをそれぞれ有し、押さえ部材53を隔壁26に取り付けた状態で後面側が隔壁26の前面に当接している。
【００３６】
ここで、上側本体側部61cは、隔壁26の隔壁上部26aの上下寸法と略等しい長手寸法に形成されている。また、中間本体側部61dは、隔壁26の隔壁中間部26bの上下寸法と略等しい長手寸法に形成され、上側本体側部61cに対して後方に屈曲されている。さらに、下側本体側部61eは、隔壁26の隔壁下部26cの上下寸法よりも若干小さい長手寸法に形成され、中間本体側部61dに対して前方に屈曲されている。
【００３７】
そして、各本体側部61a，61aの中間本体側部61d，61dには、塵落とし部材62が嵌合される長孔状の摺動孔61f，61fがそれぞれ穿設されている。このため、これら摺動孔61f，61fは、押さえ部材53を隔壁26に取り付けた状態でフィルタ28上端部近傍に上端部が位置し、かつ、フィルタ28下端部近傍に下端部が位置している。またさらに、部材本体61の挟持部材56に対向する本体側部61a，61aおよび本体端部61b，61bの前端部の内縁部には、挟持部材56に嵌合可能な嵌合突部61gが全周に亘ってリブ状に突設されている。
【００３８】
そして、塵落とし部材62は、本体側部61a，61aの両側部に位置する塵落とし側部62a，62aと、これら塵落とし側部62a，62aの上端部を連結し摺動孔61f，61f間に挿通された挿通部62bと、塵落とし側部62a，62aの上端部を部材本体61の外方で連結する連結部としてのハンドル部62cとを備え、押さえ部材53により保持される。
【００３９】
塵落とし側部62a，62aは、本体側部61a，61aと略等しい厚み寸法を有し、押さえ部材53を隔壁26に取り付けた状態で後面側が隔壁26の前面に当接している。また、各塵落とし側部62aは、隔壁26の隔壁中間部26b，26bに沿って直線状の上側塵落とし側部62dと、この上側塵落とし側部62dの下端部に連続し隔壁26の隔壁下部26cに沿って直線状の下側塵落とし側部62eとをそれぞれ有している。
【００４０】
ここで、上側塵落とし側部62dは、隔壁26の隔壁中間部26bと略等しい長手寸法を有し、塵落とし部材62を部材本体61の下端部に移動させた状態で隔壁中間部26bに対向している。
【００４１】
また、下側塵落とし側部62eは、隔壁26の隔壁下部26cの上下寸法と略等しい長手寸法に形成され、上側塵落とし側部62dに対して前方に屈曲されている。
【００４２】
さらに、挿通部62bは、摺動孔61f，61fに沿って摺動可能に設けられている。そして、この挿通部62bには、後側すなわちフィルタ28側に向けて突出するブラシ部材62fが、この挿通部62bに沿って多数植毛されている。
【００４３】
ここで、このブラシ部材62fは、塵落とし側部62a，62aの後面よりも先端部が後側に突出しており、押さえ部材53を隔壁26に取り付けた状態でフィルタ28の前面に当接し、塵落とし部材62を上下方向に操作することでフィルタ28の表面に捕集された塵埃をこのフィルタ28から除去するものである。
【００４４】
さらに、ハンドル部62cは、塵落とし部材62を上下方向に操作可能にするもので、押さえ部材53を隔壁26に取り付けた状態で粗塵用集塵風路29の下面に下端部が当接可能に形成されている。したがって、塵落とし部材62は、押さえ部材53により保持された状態で粗塵用集塵風路29に取り付ける際に、ブラシ部材62fが摺動孔61fの上端部に位置している。
【００４５】
一方、挟持部材56は、隔壁側部材55の部材本体61と略等しい大きさの四角形枠状に形成されている。すなわち、この挟持部材56は、部材本体61の本体側部61a，61aに対応する挟持側部56a，56aと、本体端部61b，61bに対応し挟持側部56a，56aの両端部を連結する挟持端部56b，56bとを有している。
【００４６】
各挟持側部56aは、上側本体側部61cに沿って、すなわち隔壁26の隔壁上部26aと平行に形成された上側挟持側部56cと、この上側挟持側部56cの下端部に連続し中間本体側部61dに沿って、すなわち隔壁26の隔壁中間部26bに平行に形成された中間挟持側部56dと、この中間挟持側部56dの下端部に連続し下側本体側部61eに沿って、すなわち隔壁26の隔壁下部26cに平行に形成された下側挟持側部56eとを備えている。
【００４７】
ここで、上側挟持側部56cは、上側本体側部61cの上下寸法と略等しい長手寸法に形成されている。また、中間挟持側部56dは、中間本体側部61dの上下寸法と略等しい長手寸法に形成され、上側挟持側部56cに対して後方に屈曲されている。さらに、下側挟持側部56eは、下側本体側部61eと略等しい長手寸法に形成され、中間挟持側部56dに対して前方に屈曲されている。
【００４８】
またさらに、挟持部材56の部材本体61に対向する挟持側部56aおよび挟持端部56bの後端部の内縁部には、嵌合突部61gが嵌合可能な嵌合段部56fが段差状に形成されている。
【００４９】
そして、この挟持部材56と隔壁側部材55とで袋体31を挟持した状態で押さえ部材53を隔壁26に取り付けることで、袋体31の開口31aが吸気口43と開口部27とに気密に接続される。
【００５０】
また、袋体収容部32は、略有底筒状の収容部本体63と、この収容部本体63の上部開口を開閉可能に閉塞する蓋部64とにより区画された空間部であり、内部に袋体31が上下方向に折り重ねられた状態で収容されている。ここで、これら袋体31は、上側に位置したものの下端部を下側に位置したものが順次挟持するように折り重ねられている。
【００５１】
収容部本体63は、袋体収容部32の下端部となるもので、後部がヒンジ部65により集塵カップ４の本体部21に軸支されて、上下方向に回動可能となっている。また、この収容部本体63の前側かつ左右方向の中央部には、図１および図５に示すように、収容部クランプ38に係合可能な爪部63aが前方に向けて突設されている。さらに、この収容部本体63の上部開口の内周縁部には、蓋部64を係止する係止爪部63bが複数突設されている。
【００５２】
そして、蓋部64は、袋体収容部32の上端部となるもので、例えば軟質の合成樹脂などで形成され、最も上側に位置した袋体31の一端部が外部に引き出し可能なスリット66が中心部近傍に横長に開口形成されている。また、このスリット66の前方には、蓋部64を収容部本体63から取り外す際に摘まれるつまみ67が設けられている。
【００５３】
さらに、袋体31は、袋体収容部32を下方に回動させた状態でのみ収容部本体63から取り外し可能となっている。
【００５４】
そして、収容部クランプ38は、カップ開閉蓋22の下方に位置し、ばね68により後方向に付勢されている。そして、この収容部クランプ38の下端部には、袋体収容部32の爪部63aに係合可能な係合部38aが後方に向けて突設されている。
【００５５】
また、ホース体５は、図６に示すように、可撓性を有する合成樹脂などで細長い蛇腹円筒状に設けられ、軸方向へと伸縮可能に設けられている。
【００５６】
さらに、接続管部６は、ホース体５と同軸状の細長円筒状に設けられてこのホース体５の先端部に連通している。そして、この接続管部６は、握り管部７の排気側である基端部に着脱可能に連通接続される。
【００５７】
また、握り管部７は、接続管部６の吸込側である先端部および延長管８の排気側である基端部にそれぞれ連通する略円筒状の円筒部71と、この円筒部71から径方向に突出した把持部72とを備えている。この把持部72は、円筒部71の先端側の外側面から突出し、円筒部71の基端側へと屈曲されている。さらに、この把持部72には、電動送風機３を所定の駆動モードで駆動させる図示しない複数の設定ボタンが設けられている。
【００５８】
そして、延長管８は、電気掃除機１を作業者が操作する際のアームの一部となるもので、例えばアルミニウムなどの金属で細長円筒状すなわち長手状に形成されている。この延長管８は、握り管部７、接続管部６、ホース体５および集塵カップ４を介して電動送風機３の吸込側に連通している。また、延長管８には、この延長管８を掃除機本体２に固定可能とする固定部73が設けられている。
【００５９】
さらに、床ブラシ９は、被掃除面としての床面に設置されて電気掃除機１を支持するもので、延長管８を取付部の上端部に挿入した状態で、延長管８の吸込側である先端部に気密に連通している。
【００６０】
次に、上記一実施の形態による掃除動作を説明する。
【００６１】
まず、掃除を開始する前に、着脱クランプ33を操作して集塵カップ４を掃除機本体２の集塵カップ嵌合凹部14から取り外し、蓋クランプ36を操作してカップ開閉蓋22を開け、スリット66から引き出された袋体31の端部を引っ張って袋体収容部32から引き出す。
【００６２】
このとき、この袋体31の引き出しに伴い、この引き出された袋体31の下端部を挟持していた袋体収容部32内の次の袋体31の上端部がスリット66から引き出される。
【００６３】
そして、作業者は、図１および図２に示すように、引き出した袋体31の開口31aの縁部を隔壁側部材55の周囲に突出させた状態で、嵌合突部61gと嵌合段部56fとを嵌合させることで、袋体31を隔壁側部材55と挟持部材56とで挟持し、袋体31を押さえ部材53とともに隔壁26に取り付け、カップ開閉蓋22を閉じた後、袋体収容部32を上方へと回動させてカップ開閉蓋22に係止して、集塵カップ４を掃除機本体２の集塵カップ嵌合凹部14に取り付ける。
【００６４】
押さえ部材53を隔壁26に取り付ける際には、塵落とし部材62のハンドル部62cを、部材本体61の下端部の本体端部61bの下端部に当接させた状態で、部材本体61の各本体側部61c，61d，61eを、それぞれ隔壁26の隔壁上部26aと隔壁中間部26bと隔壁下部26cとに対向させて、各本体側部61c，61d，61eの屈曲部を、隔壁上部26aと隔壁中間部26bとの屈曲部および隔壁中間部26bと隔壁下部26cとの屈曲部にそれぞれ嵌合させる。
【００６５】
なお、粗塵用集塵風路29が比較的汚れにくい塵埃を掃除する場合などには、図７に示すように、袋体31を押さえ部材53とともに隔壁26に取り付けずに集塵カップ４を使用してもよい。
【００６６】
そして、作業者は、延長管８を掃除機本体２に取り付けた状態で電源コードを図示しないコンセントに接続し、握り管部７の把持部72を把持して所定の設定ボタンを操作し、電動送風機３を駆動させ、把持部72を把持して電気掃除機１を前後に走行させて、床ブラシ９の先端から床面の塵埃を吸い込んで掃除する。
【００６７】
また、例えばドアレールなど、床ブラシ９の幅が入らないような狭い場所などを掃除する際には、延長管８を掃除機本体２から取り外し、この延長管８の先端部から塵埃を吸い込む。
【００６８】
さらに、机の上などを掃除する場合には、接続管部６を握り管部７から取り外し、この接続管部６の先端部から塵埃を吸い込む。
【００６９】
そして、塵埃とともに吸い込まれた空気は吸込風となり、この吸込風は、ホース体５を介して掃除機本体２内を通過した後、流入口42を介して分離部24へと流入する。
【００７０】
さらに、吸込風は分離本体部41により絞り込まれて流速を増し、この吸込風に含まれる塵埃のうち、比重、あるいは大きさが比較的大きい粗塵は空気の一部とともに分離本体部41を直線的に通過して吸気口43から粗塵用集塵風路29へと流入し、比重、あるいは大きさが比較的小さい細塵は、分離本体部41の周方向に分離されて補助開口44に流入し、この細塵の一部がメッシュフィルタ44aに捕集されるとともに、このメッシュフィルタ44aを通過した微細塵が残りの空気とともに細塵用集塵風路25に流入する。
【００７１】
粗塵用集塵風路29に流入した粗塵は、吸気口43から部材本体61により区画された開口部27全体へと吸込風が通過する際に袋体31の開口31aから袋体31内へと捕集される。そして、この粗塵が捕集された吸込風は、開口部27を通過する際にフィルタ28により細塵が捕集され、プリーツフィルタ46を通過する際に微細塵が捕集された後、排気口から電動送風機３の吸込側へと吸い込まれる。
【００７２】
なお、袋体31を隔壁26に取り付けない場合には、吸込風が吸気口43から開口部27全体へと通過する際に粗塵用集塵風路29に流入した粗塵が粗塵用集塵風路29内へと捕集され、この粗塵が捕集された吸込風が、開口部27を通過する際にフィルタ28により細塵が捕集され、プリーツフィルタ46を通過する際に微細塵が捕集された後、排気口から電動送風機３の吸込側へと吸い込まれる。
【００７３】
一方、細塵用集塵風路25に流入した微細塵は、プリーツフィルタ46を上下方向に沿って流れて通過する際にこのプリーツフィルタ46に捕集される。そして、この微細塵が捕集された吸込風は、排気口から電動送風機３の吸込側へと吸い込まれる。
【００７４】
そして、電動送風機３に吸い込まれた吸込風は、電動送風機３内を通過して排気風となり、排気孔から掃除機本体２の外部へと排気される。
【００７５】
さらに、袋体31を取り付けて掃除した場合には、作業者は、電動送風機３を停止させた状態で集塵カップ４を掃除機本体２から取り外し、図４に示すように、押さえ部材53と袋体31とが掃除機本体２側に装着された状態でカップ開閉蓋22を開けるとともに、収容部クランプ38の上側を押してこの収容部クランプ38を前側に回動させて係合部38aと爪部63aとの係合を外し、袋体収容部32をヒンジ部65を中心として下方に回動させる。
【００７６】
そして、ハンドル部62cを上下方向に摺動させてブラシ部材62fをフィルタ28の表面にて摺接させ、フィルタ28にて捕集した袋体31内に落とした後、押さえ部材53とともに袋体31を隔壁26から取り外し、隔壁側部材55と挟持部材56とを取り外して袋体31を押さえ部材53から取り外し、袋体31の内部に収容された塵埃Ｄをこの袋体31とともにごみ箱などに廃棄する。
【００７７】
この後、作業者は、スリット66から引き出された袋体31を再度引き出して袋体31の開口31aを押さえ部材53とともに隔壁26に取り付ける。
【００７８】
なお、袋体収容部32に収容された袋体31がなくなった場合には、袋体収容部32を下方に回動させた状態で蓋部64のつまみ67を摘み、収容部本体63からこの蓋部64を取り外して、折り重ねた袋体31を収容部本体63内に補充し、蓋部64を閉じる。
【００７９】
また、袋体31を取り付けないで掃除した場合には、作業者は、集塵カップ４を掃除機本体２の集塵カップ嵌合凹部14から取り外し、ごみ箱などの上で蓋クランプ36を操作してカップ開閉蓋22を開けて粗塵用集塵風路29内に溜まった塵埃Ｄを廃棄する。
【００８０】
そして、作業者は、カップ開閉蓋22を閉じた後、集塵カップ４を再度掃除機本体２の集塵カップ嵌合凹部14に取り付けて使用する。
【００８１】
上述したように、上記一実施の形態によれば、分離部24に連通する粗塵用集塵風路29の吸気口43と隔壁26に開口された開口部27とに、袋体31の開口31aを気密に接続して粗塵用集塵風路29に袋体31を収容可能とすることで、袋体31を粗塵用集塵風路29に取り付けた状態では、袋体31の開口31aが、吸気口43と開口部27とに気密に接続され袋体31の内外で圧力差が生じることを防止できるため、例えば通気性を有する専用の集塵パックでない、一般的な袋体を用いることができるので、専用の集塵パックを使用する場合と比較して、使用の際のコストを低減でき、かつ、集塵パックなどを常備しておく必要もない。
【００８２】
また、袋体31を隔壁26に取り付けた状態では、粗塵用集塵風路29に流入した粗塵を袋体31に捕集して、粗塵用集塵風路29内の汚れを防止できるとともに、この捕集した塵埃は袋体31とともに廃棄できるので、この廃棄の際に、塵埃が舞い散ることをも防止できる。
【００８３】
さらに、袋体31を隔壁26に取り付けて粗塵用集塵風路29に収容しない状態でも、粗塵用集塵風路29にて粗塵を捕集できるとともに細塵用集塵風路25で細塵を捕集できる。
【００８４】
この結果、上記一実施の形態によれば、電気掃除機１の使い勝手が向上する。
【００８５】
また、フィルタ28で捕集した塵埃を除去可能な塵落とし部材62を設けることにより、フィルタ28の目詰まりを確実に防止できる。
【００８６】
さらに、袋体31を隔壁26に着脱可能にする押さえ部材53にて塵落とし部材62を保持することで、例えば塵落とし部材を保持するための部材を別個に設ける場合と比較して部品点数を低減でき、かつ、塵落とし部材62で除去したフィルタ28の塵埃が袋体31に容易に捕集され、粗塵用集塵風路29内に舞い散ることも防止できる。
【００８７】
しかも、塵落とし部材62を袋体31の外部となる粗塵用収容風路29内に配置することにより、塵落とし部材62が塵埃で汚れることがないから、この塵落とし部材62を操作することにより、作業者が手を汚すことがなくフィルタ28を掃除でき、衛生的となるとともに、例えば塵落とし部材の一部を集塵カップの外部に導出して作業者の手を汚すことなく集塵カップの外部から操作可能とする場合と比較して、集塵カップ４からの空気などの外部への漏れすなわちリークを抑制できるとともに、塵落とし部材62の機構を簡略化できる。
【００８８】
また、集塵カップ４を掃除機本体２に対して着脱可能とすることにより、袋体31の着脱、あるいは塵埃の廃棄などの作業が容易となり、使い勝手がより向上する。
【００８９】
さらに、袋体31を収容する袋体収容部32を集塵カップ４に設けることにより、袋体31を交換する際にあらためて袋体31を探したり、袋体31が置いてある場所に取りに行ったりする手間が省け、使い勝手がより向上する。
【００９０】
そして、袋体31を折り重ねて袋体収容部32内に収納し、袋体収容部32の上部となる蓋部64にスリット66を設けることで、袋体31をスリット66から引き出すと次の袋体31の端部が続いてスリット66から引き出されるので、使い勝手がより向上する。
【００９１】
また、隔壁26を、隔壁上部26a、隔壁中間部26bおよび隔壁下部26cのそれぞれの連続部にて屈曲させるとともに、この隔壁26の形状に沿って部材本体61および塵落とし部材62をそれぞれ屈曲させることにより、隔壁26に押さえ部材53を取り付ける際に押さえ部材56を隔壁26に対して容易かつ確実に位置決めでき、取り付け性が向上する。
【００９２】
同様に、隔壁側部材55に対応して挟持部材56を屈曲させることにより、挟持部材56を隔壁側部材55に取り付ける際に挟持部材56を隔壁側部材55に対して容易かつ確実に位置決めでき、取り付け性が向上する。
【００９３】
なお、上記一実施の形態において、塵落とし部材62の機構、あるいは電気掃除機１の細部などは、上記構成に限定されるものではない。
【００９４】
また、収容部クランプ38をカップ開閉蓋22に設ける構造は、上記構成に限定されるものではない。
【００９５】
さらに、袋体収容部32をカップ開閉蓋22に係止する構成は、例えば袋体収容部32の蓋部64とカップ開閉蓋22の下部とにそれぞれ磁石を設けるなど、他の様々な構成が可能である。
【００９６】
そして、電気掃除機１としては、アップライト型の電気掃除機に限らず、キャニスタ型、その他、掃除機本体２と床ブラシ９とが一体化された自走式の電気掃除機あるいはハンディ型などであっても対応させて用いることができる。
【図面の簡単な説明】
【００９７】
【図１】本発明の一実施の形態の電気掃除機の集塵部を示す縦断面図である。
【図２】同上集塵部を示す分解斜視図である。
【図３】同上集塵部を示す正面図である。
【図４】同上電気掃除機の塵落とし部材の動作状態を示す説明図である。
【図５】同上電気掃除機の袋体収容部を示す斜視図である。
【図６】同上電気掃除機を示す斜視図である。
【図７】同上集塵部の袋体の非取付状態を示す縦断面図である。
【符号の説明】
【００９８】
１    電気掃除機
２    掃除機本体
３    電動送風機
４    集塵部としての集塵カップ
24    分離部
25    細塵用集塵風路
26    隔壁
27    開口部
28    フィルタ
29    粗塵用集塵風路
31    袋体
31a   開口
32    袋体収容部
43    吸気口
53    押さえ部材
62    塵落とし部材
【図１】
2006166988.tif 000003
【図２】
2006166988.tif 000004
【図３】
2006166988.tif 000005
【図４】
2006166988.tif 000006
【図５】
2006166988.tif 000007
【図６】
2006166988.tif 000008
【図７】
2006166988.tif 000009